(57)【特許請求の範囲】
【請求項１】
少なくとも上部が開放された箱形に形成されてなるボックスパレットにおいて、箱形の少なくとも底板部分を非連続的な面に形成し、非連続的な面は隙間を介して複数に分割されている単位板の組合せからなるとともに枠材の外側に締付具によって締付け接合されていることを特徴とするボックスパレット。
【請求項２】
請求項１のボックスパレットにおいて、非連続的な面は板材にスリットが設けられていることを特徴とするボックスパレット。
【請求項３】
請求項１または２のボックスパレットにおいて、非連続的な面は板材に多数の小孔が設けられていることを特徴とするボックスパレット。
【請求項４】
請求項１〜３のいずれかのボックスパレットにおいて、非連続的な面は内層板と外層板との積層構造で形成され、内層板，外層板は摩擦摺動可能に接合されていることを特徴とするボックスパレット。
【請求項５】
請求項４のボックスパレットにおいて、外層板は複数枚の積層構造からなることを特徴とするボックスパレット。
【請求項６】
請求項１〜５のいずれかのボックスパレットにおいて、非連続的な面は非連続的な面に穿孔された取付孔に遊嵌されたボルトからなる締付具によって枠材に締付け接合されていることを特徴とするボックスパレット。
【発明の詳細な説明】
【０００１】
【発明の属する技術分野】
本発明は、製造ラインの中途部，端末部等に設置され、製造ラインから排出される各種の製品，半製品を集積するボックスパレットに係る技術分野に属する。
【０００２】
【従来の技術】
一般に、ボックスパレットに対する製品，半製品の集積形態については、ボックスパレットの直上，斜上方からボックスパレットの内部に製品，半製品が直接落下，転動落下する構成が採用されている。このため、ボックスパレットと製品，半製品との間では、労働環境を悪化させる騒音となる衝突音が発生する。そこで、ボックスパレットと製品，半製品との衝突音を減衰する技術の開発が要望されている。
【０００３】
従来、衝突音の減衰を構成したボックスパレットとしては、例えば、図１０，図１１に示すものが知られている。
【０００４】
図１０に示した従来のボックスパレットは、上部が開放された箱形に形成された箱本体Ａの上縁にゴムシートＢをロール状に捲回する軸Ｃを設けてなる。この従来のボックスパレットでは、ゴムシートＢを箱本体Ａの側壁から底壁に垂下げ、箱本体Ａに落下する製品，半製品をゴムシートＢで受けて、箱本体Ａと製品，半製品との衝突の衝撃を緩和することで衝突音を減衰している。なお、箱本体Ａの側壁，底壁に垂下げられたゴムシートＢが劣化，摩耗した場合には、劣化，摩耗した部分を切除して新しいゴムシートＢを繰出すことになる。
【０００５】
図１１に示した従来のボックスパレットは、上部が開放された箱形に形成された箱本体Ａの側壁の外側面に粘弾性体（ダンピング材）Ｄを貼付けてなる。この従来のボックスパレットでは、箱本体Ａと製品，半製品との衝突の振動エネルギを粘弾性体Ｄで熱エネルギに変換することで衝突音を減衰している。
【０００６】
【発明が解決しようとする課題】
前述の図１０に示した従来のボックスパレットでは、ゴムシートＢが劣化，摩耗しやすいため、集積された製品，半製品にゴムシートＢの微砕片が付着するという問題点がある。また、ゴムシートＢが耐熱性を備えていないため、５００℃にもなる鍛造品のような高温の製品，半製品の集積に使用すると、ゴムシートＢの劣化が激しく長期使用に耐えないという問題点がある。
【０００７】
さらに、前述の図１１に示した従来のボックスパレットでは、粘弾性体Ｄのエネルギ変換の有効温度域が狭いため、多様な温度の製品，半製品に対しての汎用性が低いという問題点がある。また、粘弾性体Ｄの温度変化による劣化が激しいため、温度変化の激しい製品，半製品に使用すると、粘弾性体Ｄが箱本体Ａから剥離してしまうという問題点がある。
【０００８】
本発明は、このような問題点を考慮してなされたもので、衝突音の減衰機能を備え、いかなる温度域の製品，半製品をも集積可能で耐久性能の高いボックスパレットを提供することを課題とする。
【０００９】
【課題を解決するための手段】
前述の課題を解決するため、本発明に係るボックスパレットは、次のような手段を採用する。
【００１０】
即ち、請求項１では、少なくとも上部が開放された箱形に形成されてなるボックスパレットにおいて、箱形の少なくとも底板部分を非連続的な面に形成し、非連続的な面は隙間を介して複数に分割されている単位板の組合せからなるとともに枠材の外側に締付具によって締付け接合されていることを特徴とする。
【００１１】
この手段では、非連続的な構造として板材を分割した単位板が選択され、この単位板を組み合わせて非連続的な隙間を形成することから、衝突により振動する放射面が非連続的に分断されて衝突音が減衰される。非連続的な面の構造は、耐熱性，耐摩耗性等についての材質の自由な選択を可能にして耐久性の向上に寄与する。
また、締付具の締付量の加減で、非連続的な面構成の摩擦具合が調整される。
【００１４】
また、請求項２では、請求項１のボックスパレットにおいて、非連続的な面は板材にスリットが設けられていることを特徴とする。
【００１５】
この手段では、非連続的な構造として一枚または任意枚の板材に形成したスリットが選択される。
【００１６】
また、請求項３では、請求項１または２のボックスパレットにおいて、非連続的な面は板材に多数の小孔が設けられていることを特徴とする。
【００１７】
この手段では、非連続的な構造として一枚または任意枚の板材に形成した多数の小孔が選択される。
【００１８】
また、請求項４では、請求項１〜３のいずれかのボックスパレットにおいて、非連続的な面は内層板と外層板との積層構造で形成され、内層板，外層板は摩擦摺動可能に接合されていることを特徴とする。
【００１９】
この手段では、衝突による振動エネルギを非連続的な面構成と、内層板と外層板との摩擦とで低減することで衝突音を減衰する。
【００２０】
また、請求項５では、請求項４のボックスパレットにおいて、外層板は複数枚の積層構造からなることを特徴とする。
【００２１】
この手段では、非連続的な面構成に加えて、外層板の積層構造で構成される摩擦面に応じた減衰効果により衝突音を分散吸収する。
【００２４】
さらに、請求項６では、請求項１〜５のいずれかのボックスパレットにおいて、非連続的な面は非連続的な面に穿孔された取付孔に遊嵌されたボルトからなる締付具によって枠材に締付け接合されていることを特徴とする。
【００２５】
この手段では、ボルトの遊嵌具合によって非連続的な面構成が摩擦する際の摺動性が確保される。
【００２６】
【発明の実施の形態】
以下、本発明に係るボックスパレットの実施の形態を図１〜図９に基づいて説明する。
【００２７】
図１〜図３は、本発明に係るボックスパレットの実施の形態（１）を示すものである。
【００２８】
この実施の形態では、上部のみが開放され底板部分，側板部分が閉塞された方体の箱形からなるものを示してある。この実施の形態は、枠材１，板材２により箱形を構成している。
【００２９】
枠材１は、１２本の角材からなるもので、４本の角材が窓枠形に組付けられた底枠１１と、４本の角材が底枠部分の４つの角部からそれぞれ垂直に立上げられた側枠１２と、側枠１２に上端付近で桟状に掛渡された上枠１３とを備えている。枠材１の底枠１１，側枠１２，上枠１３には、規則的にボルトネジ孔３が多数設けられている。この枠材１の材質については、集積する製品，半製品に対応して金属材，セラミックス材，複合素材等が選択される。
【００３０】
板材２は、５面×２枚の長方形の単位板からなる。単位板２は、図示すように平板状を呈し、衝撃に耐え得る厚みに形成される。単位板２の１面×２枚は、枠材１の底枠１１によって囲まれる１つの面に底枠１１の外側から当接される。単位板２の他の４面×２枚は、枠材１の側枠１２によって囲まれる４つの面に側枠１２の外側からそれぞれ当接される。各単位板２には、枠材１への当接位置に規則的にボルト挿通孔９が多数設けられている。この単位板２の材質については、枠材１と同材質，異材質の選択が自由であり、集積する製品，半製品に対応して金属材，セラミックス材，複合素材等が選択される。
【００３１】
枠材１と単位板２とは、締付具５により締付け固定されている。締付具５は、単位板２のボルト挿通孔９に遊嵌し、枠材１のボルトネジ孔３に螺合するボルト５１と、ボルト５１が貫通され単位板２の外側に当接される座金５２とからなるものが選択される。ボルト挿通孔９の径は、ボルトネジ孔３の径よりも大きく形成されることが望ましい。
【００３２】
この実施の形態によると、枠材１に対して、単位板２が箱形に組付けれていることになる。このボルトネジ孔３，４，締付具５からなる摩擦摺動構造は、構造が簡素で安価，容易な工作が可能である。なお、単位板２は、各面で２枚配置され、各枚の間に間隙Ｓが形成されている。間隙Ｓは各単位板２，２の振動伝達が阻害され、振動が早期に減衰するように設定される。
【００３３】
この結果、枠材１，単位板２により、集積される製品，半製品の落下衝撃に耐え得る剛体性を備えた箱形が形成される。そして、製品，半製品と枠材１，単位板２との衝突による衝突音の放射が間隙Ｓで分割されている単位板２の各面で減少され、製品，半製品と枠材１，単位板２との衝突音が減衰されることになる。なお、間隙Ｓでは、寸法、形状を工夫することにより、特定の周波数範囲で共鳴型の吸音機構とすることも可能である。
【００３４】
また、各単位板２，２への締付具５の締付け具合を調整することにより、固有振動数を変えることができるので、各単位板２，２の間隙Ｓを介しての共振が起こらなくなる。この場合には、締付具５の数や位置等によっても共振を阻止できる。
【００３５】
また、枠材１，単位板２の材質の選択が自由であるため、集積される製品，半製品に対応して耐熱性，耐摩耗性等を備えて耐久性を高めることができる。
【００３６】
図４は、本発明に係るボックスパレットの実施の形態（２）を示すものである。
【００３７】
この実施の形態では、前述の実施の形態（１）の各面の単位板２を多数枚の短冊状の長板から構成してある。
【００３８】
この実施の形態によると、前述の実施の形態（１）と同様の作用，効果が奏される。また、間隙Ｓの数（単位板２の分割数）が増加して衝突音の放射面積が細分化されるため、衝突音の減衰性能が向上する。この場合には、締付具５の締付け具合に応じて各単位板２，２の共振を阻止した吸音機能を発揮させることができる。
【００３９】
図５は、本発明に係るボックスパレットの実施の形態（３）を示すものである。
【００４０】
この実施の形態では、前述の実施の形態（２）の単位板２の分割幅を中心側で細かく構成し、外側へ向けて除々に広く構成してある。例えば、中心側の３枚を細幅とし、その両側２枚を約１．２〜１．５倍程度の広幅とし、さらに外側を細幅の約２倍程度の太幅とする如きである。
【００４１】
この実施の形態によると、前述の実施の形態（２）と同様の作用，効果が奏される。また、製品，半製品の落下衝突しやすい中心側での衝突音の減衰性能が向上する。なお、図示しないが、中心側を太幅として外側に向けて細幅に配列することも可能であり、これによって中心側での落下衝突に対して強化される。
【００４２】
図６は、本発明に係るボックスパレットの実施の形態（４）を示すものである。
【００４３】
この実施の形態では、前述の実施の形態（２）の板材２を完全には分割しないでスリット６を設けている。スリット６は枠材１，１の間に至る手前まで穿設され、両端には広幅の丸穴６ａに形成されている。
【００４４】
この実施の形態によると、前述の実施の形態（２）と同様の作用，効果が奏される。また、分割されていない板材２の縁辺２ａを枠材１に帯状に溶接固定することができ、板材２の縁辺付近での撓み変形を阻止して箱形の剛体性をより高めることができる。なお、スリット６を等間隔に設けた場合を図示したが、図５に示すように幅間隔を変更することも可能であり、これによって図５と同様の作用，効果が奏される。
【００４５】
図７は、本発明に係るボックスパレットの実施の形態（５）を示すものである。
【００４６】
この実施の形態では、前述の実施の形態（３）の板材２を完全には分割しないでスリット６を設けている。また、板材２に多数の小孔７を穿孔してある。
【００４７】
この実施の形態によると、前述の実施の形態（３），（４）と同様の作用，効果が奏される。また、小孔７が衝突音の放射面積を減少させるため、衝突音の減衰性能がより向上する。
【００４８】
図８は、本発明に係るボックスパレットの実施の形態（６）を示すものである。
【００４９】
この実施の形態では、板材２を内層板２１と外層板２２との積層構造としてある。図示されていないが、板材２は非連続的な面に形成されている。
【００５０】
外層板２２は、内層材２１と同一形状の５面×２枚の長方形の板材からなる。外層板２２の５面×２枚は、内層板２１の外側にそれぞれ当接される。各外層板２２及び内層板２１には、枠材１のボルトネジ孔３に対応してボルト挿通孔８、９が設けられている。ボルト挿通孔８、９の径ａは、ボルトネジ孔４の径ｂよりも大きく形成されている。この外層板２の材質については、枠材１，内層板２１と同材質，異材質の選択が自由であり、集積する製品，半製品に対応して金属材，セラミックス材，複合素材等が選択される。
【００５１】
この実施の形態によると、枠材１の外側に対して板材２の内層板２１及び外層板２２が摩擦摺動可能に接合されていることになる。
【００５２】
この結果、製品，半製品と枠材１，板材２との衝突による振動エネルギが、非連続的な面による減衰の他に、枠板１と内層板２１との間、及び内層板２１と外層板２２との間での摩擦で低減され、製品，半製品と枠材１，板材２との衝突音が減衰されることになる。なお、締付具６の締付量を加減すると、内層板２１，外層板２２の摩擦度合が調整され、振動エネルギの低減量が調整される。
【００５３】
図９は、本発明に係るボックスパレットの実施の形態（７）を示すものである。
【００５４】
この実施の形態では、外層板２２を３枚の積層用板２２１，２２２，２２３の積層構造としてある。通常は内層板２１と積層用板２２１，２２２，２２３は軟鋼を使用するが、例えば、内層板２１を軟鋼として、内層板２１側の積層用板２２１をステンレスとし、中間の積層用板２２２を銅とし、内層板２１の反対側の積層用板２２３をアルミニウムとすることができる。この場合には、積層する素材を選択することによって、積層構造の摩擦係数や熱伝導率を変えて減衰性能が調整可能となる。
【００５５】
この実施の形態によると、製品，半製品と枠材１，板材２との衝突音について、非連続的な面による減衰の他に、内層板２１と外層板２２の積層用板２２１，２２２，２２３との積層間で構成される摩擦面に応じた減衰効果が得られる。従って、衝突音の減衰性能が高くなる
【００５６】
以上、図示した実施の形態の外に、板材２の非連続的な面や内層板２１，外層板２２の積層構造を箱形の底板部分のみとすることも可能である。この実施の形態でも、衝突音の相当の減衰が可能である。
【００５７】
さらに、内層板２１を積層構造としたり、外層板２２を４枚以上の積層構造とすることもできる。
【００５８】
【発明の効果】
以上のように、本発明に係るボックスパレットは、衝突により振動する放射面が分断されて衝突音が減衰され、非連続的な面の構造が耐熱性，耐摩耗性等についての材質の自由な選択を可能にして耐久性の向上に寄与するため、衝突音の減衰機能を備えいかなる温度域の製品，半製品をも集積可能で耐久性能が高い効果がある。
【図面の簡単な説明】
【図１】  本発明に係るボックスパレットの実施の形態（１）を示す分解状態の斜視図である。
【図２】  図１の組付状態の縦断面図である。
【図３】  図２の要部の拡大断面図である。
【図４】  本発明に係るボックスパレットの実施の形態（２）を示す底面図である。
【図５】  本発明に係るボックスパレットの実施の形態（３）を示す底面図である。
【図６】  本発明に係るボックスパレットの実施の形態（４）を示す底面図である。
【図７】  本発明に係るボックスパレットの実施の形態（５）を示す底面図である。
【図８】  本発明に係るボックスパレットの実施の形態（６）を示す要部の断面図である。
【図９】  本発明に係るボックスパレットの実施の形態（７）を示す要部の断面図である。
【図１０】  従来例を示す斜視図である。
【図１１】  他の従来例を示す斜視図である。
【符号の説明】
１            枠材
２            板材
２１          内層板
２２          外層板
５            締付具
６            スリット
７            小孔
Ｓ            間隙
【図１】
0004128291.tif 000002
【図２】
0004128291.tif 000003
【図３】
0004128291.tif 000004
【図４】
0004128291.tif 000005
【図５】
0004128291.tif 000006
【図６】
0004128291.tif 000007
【図７】
0004128291.tif 000008
【図８】
0004128291.tif 000009
【図９】
0004128291.tif 000010
【図１０】
0004128291.tif 000011
【図１１】
0004128291.tif 000012